(57)【要約】【課題】  容易に開封できるジッパー付き袋を提供する。【解決手段】  対向配置された第１壁面シート部２１及び第２壁面シート部２２を有し、内部に収納空間２８が形成された袋本体２と、互いに咬合可能な第１咬合部３１及び第２咬合部３２を有し、袋本体２の開口部２９を閉塞するジッパー３と、を備え、第１咬合部３１が、第１咬合部３１から下方に延設された取付け部４１２を介して第１壁面シート部２１の内面に取り付けられ、第２咬合部３２が、直接又は取付け部を介して第２壁面シート部２２の内面に取り付けられているジッパー付き袋１であって、第１壁面シート部２１の外部には、第１咬合部３１よりも下方位置に、袋本体２の幅方向側方から進入させた指を保持可能な第１保持部５１が設けられ、第２壁面シート部２２の外部には、第２咬合部３２よりも下方位置に、袋本体２の幅方向側方から進入させた指を保持可能な第２保持部５２が設けられている。【選択図】  図３
2020040675.tif 000002
【特許請求の範囲】
【請求項１】
対向配置された第１壁面シート部及び第２壁面シート部を有し、内部に収納空間が形成された袋本体と、
互いに咬合可能な第１咬合部及び第２咬合部を有し、前記袋本体の開口部を閉塞するジッパーと、を備え、
前記第１咬合部が、第１咬合部から下方に延設された取付け部を介して前記第１壁面シート部の内面に取り付けられ、前記第２咬合部が、直接又は取付け部を介して前記第２壁面シート部の内面に取り付けられているジッパー付き袋であって、
前記第１壁面シート部の外部には、前記第１咬合部よりも下方位置に、袋本体の幅方向側方から進入させた指を保持可能な第１保持部が設けられ、
前記第２壁面シート部の外部には、前記第２咬合部よりも下方位置に、袋本体の幅方向側方から進入させた指を保持可能な第２保持部が設けられている、ジッパー付き袋。
【請求項２】
前記第１保持部及び第２保持部が、シート材から形成され且つ指の長手方向を袋本体の幅方向に向けた状態で指を保持できる筒袋部位と、その筒袋部位の空間に連通し且つ幅方向側方において開放された差入れ口と、を有する、請求項１に記載のジッパー付き袋。
【発明の詳細な説明】
【技術分野】
【０００１】
本発明は、ジッパーによって袋本体が閉塞されるジッパー付き袋に関する。
【背景技術】
【０００２】
従来、開口部にジッパーが設けられているジッパー付き袋が知られている。
また、ジッパーを開封し難くした改竄防止機能を有するジッパー付き袋も知られている。
例えば、特許文献１には、開口を有し物品を収納する収納空間を区画する袋本体と、一対の雄側鈎部および雌側鈎部が互いに咬合可能な咬合部と、前記咬合部にそれぞれ連設する一対の帯状基部とを備え、前記袋本体の内面に取り付けられるジッパーテープとを備えたジッパーテープ付袋体であって、前記帯状基部のいずれか一方が、少なくとも前記袋本体の開口側に対応する一縁側と前記袋本体の収納空間側に対応する他縁側が前記袋本体に取り付けられ、前記帯状基部のいずれか他方は、前記袋本体の開口側に対応する一縁側は前記袋本体に取り付けられず、前記袋本体の収納空間側に対応する他縁側が前記袋本体に取り付けられているジッパーテープ付袋体が開示されている。
【０００３】
かかるジッパーテープ付き袋体は、帯状基部のいずれか他方のみ、袋本体の開口側に対応する一縁側を袋本体に取り付けないので、袋本体を開封させようとすると、一対の帯状基部がそれぞれ反対方向で咬合部を剪断する方向に移動する状態となる。このため、雄側鈎部および雌側鈎部が互いに噛み合う方向に開封力が作用し、咬合が外されて袋本体が開封することを防止でき、確実に改竄を防止することができる。
【０００４】
特許文献１のジッパーテープ付き袋体は、上述のように、開封困難な改竄防止機能を有するので、悪戯や不正行為などの改竄による開封（悪意を持った行為に基づく開封）を未然に防止でき、さらに、不用意な開封（改竄意図はないが、誤って開けてしまうなど）も防止できる。以下、改竄による開封及び不用意な開封を総称して「予定外の開封」又は「予定外開封」という。
【先行技術文献】
【特許文献】
【０００５】
【特許文献１】特開２０１５−２１７９８０号公報
【発明の概要】
【０００６】
しかしながら、かかる袋体は、例えば、それを購入した者にとって開封困難である。つまり、上記ジッパーテープ付袋体は、予定外の開封でなく、正規に開封したいときに容易に開封できないので、その改善が求められる。以下、予定外開封でない開封を、便宜上、「正規開封」という場合がある。
【発明が解決しようとする課題】
【０００７】
本発明の目的は、予定外の開封を防止できる機能を有しつつ、容易に開封できるジッパー付き袋を提供することである。
【課題を解決するための手段】
【０００８】
本発明のジッパー付き袋は、対向配置された第１壁面シート部及び第２壁面シート部を有し、内部に収納空間が形成された袋本体と、互いに咬合可能な第１咬合部及び第２咬合部を有し、前記袋本体の開口部を閉塞するジッパーと、を備え、前記第１咬合部が、第１咬合部から下方に延設された取付け部を介して前記第１壁面シート部の内面に取り付けられ、前記第２咬合部が、直接又は取付け部を介して前記第２壁面シート部の内面に取り付けられているジッパー付き袋であって、前記第１壁面シート部の外部には、前記第１咬合部よりも下方位置に、袋本体の幅方向側方から進入させた指を保持可能な第１保持部が設けられ、前記第２壁面シート部の外部には、前記第２咬合部よりも下方位置に、袋本体の幅方向側方から進入させた指を保持可能な第２保持部が設けられている。
【０００９】
本発明の好ましいジッパー付き袋は、前記第１保持部及び第２保持部が、シート材から形成され且つ指の長手方向を袋本体の幅方向に向けた状態で指を保持できる筒袋部位と、その筒袋部位の空間に連通し且つ幅方向側方において開放された差入れ口と、を有する。
【発明の効果】
【００１０】
本発明のジッパー付き袋は、予定外の開封を防止できる。さらに、本発明のジッパー付き袋は、第１保持部及び第２保持部が設けられているので、その保持部にそれぞれ指を保持させて第１壁面シート部及び第２壁面シート部を引っ張ることにより、ジッパーを容易に開封できる。
【図面の簡単な説明】
【００１１】
【図１】第１実施形態のジッパー付き袋の正面図（第１壁面シート部側から見た図）。
【図２】同ジッパー付き袋の背面図（第２壁面シート部側から見た図）。
【図３】図１のＩＩＩ−ＩＩＩ線で切断した端面図（ジッパー付き袋の幅方向中央部において上下方向で切断した端面図）。端面図は、切断面のみを表した図をいう（以下、同じ）。
【図４】図１のＩＶ−ＩＶ線で切断した端面図。
【図５】同ジッパー付き袋の第１壁面シート部側を上方から見た斜視図。
【図６】同ジッパー付き袋の第２壁面シート部側を上方から見た斜視図。
【図７】同ジッパー付き袋を予定外開封した際の状況を示す端面図であって、その際のジッパー付き袋を上下方向で切断した端面図。
【図８】同ジッパー付き袋を正規開封する際に、第１保持部及び第２保持部に人指し指を入れた状態を示す斜視図。
【図９】第１保持部及び第２保持部に人指し指を入れた後、第１壁面シート部及び第２壁面シート部に親指を添えた状態を示す斜視図。
【図１０】図９のジッパー付き袋を上下方向で切断した端面図。
【図１１】ジッパー付き袋を正規開封し、第１咬合部と第２咬合部の咬合が解除された状態を示す斜視図。
【図１２】図１１のジッパー付き袋を上下方向で切断した端面図。
【図１３】第２実施形態のジッパー付き袋の正面図（第１壁面シート部側から見た図）。
【図１４】図１３のＸＩＶ−ＸＩＶ線で切断した端面図。
【図１５】第３実施形態のジッパー付き袋の正面図（第１壁面シート部側から見た図）。
【図１６】図１５のＸＶＩ−ＸＶＩ線で切断した端面図。
【図１７】第４実施形態のジッパー付き袋の正面図（第１壁面シート部側から見た図）。
【図１８】図１７のＸＶＩＩＩ−ＸＶＩＩＩ線で切断した端面図。
【発明を実施するための形態】
【００１２】
以下、本発明の実施形態について図面を参照しながら説明する。
本明細書において、方向を示す用語として、「上」及び「下」を使用するが、「上」は、袋本体を基準にしてその開口部側を指し、「下」は、上とは反対側（袋本体の開口部とは反対側）を指す。例えば、図１では、袋本体の開口部を紙面の上側にして表している。「幅」又は「幅方向」は、図１の正面視において、上下方向と直交する方向である。また、用語の頭に、「第１」、「第２」を付す場合があるが、この第１などは、用語を区別するためだけに付加されたものであり、その順序や優劣などの特別な意味を持たない。
本明細書において、「〜」で表される数値範囲は、「〜」の前後の数値を下限値及び上限値として含む数値範囲を意味する。複数の下限値と複数の上限値が別個に記載されている場合、任意の下限値と任意の上限値を選択し、「〜」で結んだ範囲とすることができるものとする。
各図に示される層、部分及び部材の寸法、縮尺及び形状は、実際のものとは異なっている場合があることに留意されたい。
【００１３】
［第１実施形態］
図１乃至図６において、ジッパー付き袋１は、第１壁面シート部２１及び第２壁面シート部２２を有する袋本体２と、前記袋本体２の開口部２９を閉塞するために袋本体２に取り付けられたジッパー３と、を有する。
本発明のジッパー付き袋１は、袋本体２の第１壁面シート部２１と第２壁面シート部２２にそれぞれ、指を保持する保持部５１，５２が設けられていることを特徴とする。
【００１４】
＜袋本体＞
袋本体２は、内部に収納空間２８を有する袋状である。袋本体２には、前記収納空間２８に通じる開口部２９が上方に形成されている。
袋本体２は、柔軟なシート材からなる第１壁面シート部２１及び第２壁面シート部２２を有し、第１壁面シート部２１と第２壁面シート部２２は、互いの内面同士を向かい合わせて配置されている。
第１壁面シート部２１及び第２壁面シート部２２の正面視形状は、特に限定されず、例えば、正面視略四角形状、略六角形状などの略多角形状；略円形状；略楕円形状；略Ｔ字状；これらの形状が組み合わされた異形状；などが挙げられる。本明細書において「略」は、本発明の属する技術分野において許容される範囲を意味する。略四角などの略多角、略Ｔ字の「略」は、例えば、角部が面取りされている形状、辺の一部が僅かに膨らむ又は窪んでいる形状、辺が若干湾曲している形状などが含まれる。なお、角部が面取りされているとは、角張った部分の角を取り去り、その部分を弧状又はなだらかな鈍角状に形成することをいう。略円及び略楕円の「略」は、例えば、周の一部が僅かに膨らむ又は窪んでいる形状、周の一部が若干直線又は斜線とされた形状などが含まれる。
図示例では、図１のように、第１壁面シート部２１及び第２壁面シート部２２は、いずれも正面視略長方形状（又は略正方形状）であり、同形同大である。
【００１５】
＜ジッパー＞
ジッパー３は、袋本体２の開口部２９を閉塞するべく、袋本体２の内面側に設けられている。図示のように、開口部２９が幅方向に拡がっている袋本体２にあっては、ジッパー３は、袋本体２の開口部２９の近傍において幅方向に延在されている。
具体的には、ジッパー３は、互いに咬合可能な第１咬合部３１及び第２咬合部３２を有する。第１咬合部３１及び第２咬合部３２としては、雄雌鈎の咬合構造のもの、例えば、特許文献１（特開２０１５−２１７９８０号公報）に開示された咬合構造などが挙げられる。第１咬合部３１と第２咬合部３２は、互いに咬合することによって一体化され、また、前記咬合を解除することによって互いに離反可能である。
第１咬合部３１は、例えば、図３に示すように、基部３１１と前記基部３１１から第２咬合部３２側に向かって突設された雄側鈎部３１２とからなり、袋本体２の幅方向に延在されている。第２咬合部３２は、基部３２１と前記基部３２１から第１咬合部３１側に向かって突設された雌側鈎部３２２とからなり、袋本体２の幅方向に延在されている。なお、図示例とは反対に、第１咬合部３１が雌側鈎部を有し、第２咬合部３２が雄側鈎部を有していてもよい。
【００１６】
第１咬合部３１には、上方（第１咬合部３１を基準にして収納空間２８とは反対側）及び下方（第１咬合部３１を基準にして収納空間２８側）に向かって一対の延出部４１１，４１２が延設されている。図示例では、第１咬合部３１の基部３１１の上端に、上方且つ袋本体２の幅方向に延設された帯板状の第１上延出部４１１が設けられており、前記第１咬合部３１の基部３１１の下端に、下方且つ袋本体２の幅方向に延設された帯板状の第１下延出部４１２が設けられている。
第２咬合部３２には、上方（第２咬合部３２を基準にして収納空間２８とは反対側）及び下方（第２咬合部３２を基準にして収納空間２８側）に向かって一対の延出部４２１，４２２が延設されている。図示例では、第２咬合部３２の基部３２１の上端に、上方且つ袋本体２の幅方向に延設された帯板状の第２上延出部４２１が設けられており、前記第２咬合部３２の基部３２１の下端に、下方且つ袋本体２の幅方向に延設された帯板状の第２下延出部４２２が設けられている。
【００１７】
第１咬合部３１は、下方に延設された第１下延出部４１２を介して第１壁面シート部２１の内面に取り付けられている。この第１下延出部４１２は、第１咬合部３１を第１壁面シート部２１に取り付けるための取付け部に相当する。第１下延出部４１２のみを介して取り付けられた第１咬合部３１にあっては、その基部３１１及び第１上延出部４１１は、第１壁面シート部２１の内面から離れている。従って、第１咬合部３１及び第１上延出部４１１は第１壁面シート部２１の上端部２１ａの動きに追従することがない。
第２咬合部３２は、その基部３２１が第２壁面シート部２２の内面に直接に取り付けられている。さらに、第２咬合部３２の基部３２１と共に、第２上延出部４２１及び第２下延出部４２２も第２壁面シート部２２の内面に取り付けられている。この第２上延出部４２１及び第２下延出部４２２は、第２咬合部３２を第２壁面シート部２２に取り付けるための取付け部に相当する。従って、第２咬合部３２及び第２上延出部４２１は、第２壁面シート部２２の上端部２２ａの動きに追従する。なお、第２咬合部３２を直接的に第２壁面シート部２２に取り付けるだけでもよく、或いは、第２下延出部４２２のみを介して第２壁面シート部２２の内面に第２咬合部３２を取り付けてもよい（図示せず）。
第１咬合部３１及び第２咬合部３２並びに各延出部４１１，…の第１壁面シート部２１及び第２壁面シート部２２に対する取り付け方法は、特に限定されず、熱溶着、接着剤を用いた接着などが挙げられる。
【００１８】
第１咬合部３１及び第２咬合部３２を有するジッパー３の上下方向における取り付け位置は、特に限定されず、適宜設定できる。
例えば、第１咬合部３１及び第２咬合部３２は、第１壁面シート部２１及び第２壁面シート部２２の上端に略一致する位置に取り付けられていてもよく、或いは、第１壁面シート部２１及び第２壁面シート部２２の上端から下方に寄った位置に取り付けられていてもよい。
図示例では、第１上延出部４１１及び第２上延出部４２１を第１壁面シート部２１及び第２壁面シート部２２の上端から外側に突出させず、第１咬合部３１及び第２咬合部３２が、第１壁面シート部２１及び第２壁面シート部２２の上端から下方に寄った位置に取り付けられている。換言すると、第１壁面シート部２１の上端部２１ａ及び第２壁面シート部２２の上端部２２ａは、第１上延出部４１１及び第２上延出部４２１の上端よりも上方に突出されている。
【００１９】
＜第１保持部及び第２保持部＞
袋本体２の第１壁面シート部２１の外部には、幅方向側方から進入させた指を保持可能な第１保持部５１が設けられ、第２壁面シート部２２の外部には、幅方向側方から進入させた指を保持可能な第２保持部５２が設けられている。
第１保持部５１は、第１壁面シート部２１の外側の、前記第１咬合部３１よりも下方位置に設けられ、第２保持部５２は、第２壁面シート部２２の外側の、前記第２咬合部３２よりも下方位置に設けられている。
柔軟なシート材からなる袋本体２に形成される第１保持部５１及び第２保持部５２は、いずれも柔軟なシート材から形成されている。
第１保持部５１及び第２保持部５２は、それぞれ、指の長手方向を袋本体２の幅方向に向けた状態で指を保持できる筒袋部位と、その筒袋部位の空間（指を入れる空間）に連通し且つ幅方向側方において開放された差入れ口と、を有する。差入れ口は、袋本体２の幅方向側方から指を前記筒袋部位の空間に入れることができるように、幅方向側方において開放されている。
例えば、第１保持部５１及び第２保持部５２は、いずれも、内外で重ねられた２重シート部から構成されている。
【００２０】
＜第１保持部の具体例＞
具体的には、本実施形態では、第１壁面シート部２１は、第１外側シート片２１１と、その第１外側シート片２１１の内面側に重ねられた第１内側シート片２１２と、から構成されている。第１外側シート片２１１は、第１壁面シート部２１の正面視形状を成しており、例えば、正面視略四角形状に形成されている。第１内側シート片２１２は、前記第１外側シート片２１１よりも小面積であり、例えば、幅方向を長手とする正面視略長方形状に形成されている。詳しくは、第１内側シート片２１２は、第１外側シート片２１１の幅方向長さと同じで且つ第１外側シート片２１１の上下方向長さよりも十分に小さい。
なお、第１内側シート片２１２の幅方向長さは、第１外側シート片２１１の幅方向長さよりも小さくてもよい。
【００２１】
ジッパー３の第１咬合部３１は、第１壁面シート部２１を構成する第１外側シート片２１１の上方領域に設けられている。第１内側シート片２１２は、前記第１咬合部３１の第１下延出部４１２に重ならないように、第１外側シート片２１１の中途領域（第１咬合部３１よりも下方位置）に配設されている。
第１内側シート片２１２の周端部は、第１外側シート片２１１に接着されている。第１内側シート片２１２の周端部が第１外側シート片２１１に接着されていることにより、周端部で囲われる範囲内における第１内側シート片２１２と第１外側シート片２１１の間に空間が形成されている。かかる第１内側シート片２１２と第１外側シート片２１１が重ねられた領域が、２重シート部であり、この２重シート部が、第１保持部５１の筒袋部位（第１筒袋部位５１１）を構成している。第１内側シート片２１２は第１外側シート片２１１の幅方向長さと同じであるので、第１筒袋部位５１１は、第１壁面シート部２１の幅方向略全体に亘って延在されている。なお、指を入れる前の第１筒袋部位５１１は、扁平状であるが、指を差し入れると柔軟に立体的に変化する。
２重シート部の上下方向長さは、概ね第１筒袋部位５１１の周長×１／２に相当する。指の長手方向を袋本体２の幅方向に向けた状態で第１筒袋部位５１１内に指を保持できるように、第１筒袋部位５１１の周長は、少なくとも１本の指の太さ（指の周長）よりも大きく設定される。かかる第１筒袋部位５１１の周長を考慮して、２重シート部の上下方向長さが設定される。
【００２２】
また、第１外側シート片２１１のうち、前記２重シート部を構成している領域には、第１切り目６１が形成されている。第１外側シート片２１１の２重シート部に第１切り目６１を形成することにより、その第１切り目６１において第１筒袋部位５１１の空間が外部と連通するようになる。第１切り目６１は、第１筒袋部位５１１の幅方向側方に形成される。第１筒袋部位５１１は袋本体２の幅方向略全体に亘って存在するので、第１切り目６１を任意の箇所に形成することにより、第１切り目６１は第１筒袋部位５１１の幅方向の少なくとも１つの側方に位置するようになる。この第１切り目６１で囲われた範囲が第１外側シート片２１１の面内から離れることによって生じる開放部分（この開放部分は第１筒袋部位５１１の側方に生じる）が、第１保持部５１の差入れ口（第１差入れ口５１２）である。指の長手方向を袋本体２の幅方向に向けて、前記第１差入れ口５１２から第１筒袋部位５１１内に指を挿入でき、挿入された指は第１筒袋部位５１１に保持される（保持された指の状態を図１の二点鎖線に示す）。
第１切り目６１（第１差入れ口５１２）は、少なくとも１本の指を挿入できる程度に形成されていればよい。例えば、第１切り目６１は、正面視で、上下方向に延びる直線状又は波線状若しくはジグザグ状などの非直線状、或いは、上下方向に対して傾斜した又は波線状若しくはジグザグ状などの非直線状、或いは、幅方向に延びる直線状又は波線状若しくはジグザグ状などの非直線状、或いは、幅方向に延びる線と上下方向に延びる線が組み合わされた形状などに形成されている。
【００２３】
第１差入れ口５１２から指を入れやすくなることから、第１切り目６１は、幅方向側方に膨らんだ部分を有する非直線状に形成されていることが好ましい。このような平面視形状の第１切り目６１は、例えば、図視のような、両端部を有し且つその両端部から幅方向の１つの側方に円弧状に膨らんだ略横向きＵ字状、その他、図視しないが、両端部を有し且つその両端部から幅方向の１つの側方に角状に膨らんだ略コの字状又は略くの字状などが挙げられる。かかる第１切り目６１で囲われた範囲（以下、第１舌部５３という）は、第１外側シート片２１１とは独立して自由に内外へ動き得る。
なお、前記第１切り目６１が形成された第１外側シート片２１１は、封緘性がないが（第１切り目６１にて内外が通じているが）、その裏面側に第１内側シート片２１２が重ねられ且つその周端部（周囲全体）が第１外側シート片２１１に接着されているので、第１壁面シート部２１の封緘性は保たれている。
【００２４】
第１切り目６１の形成位置は、特に限定されない。第１切り目６１の幅方向の形成位置は、図示例のように、幅方向中央部でもよく、或いは、幅方向の１つの側方寄りであってもよい。幅方向中央部に第１切り目６１（第１差入れ口５１２）を形成することにより、指を挿入保持可能な第１保持部５１がその第１切り目６１（第１差入れ口５１２）を基準にして幅方向両側に形成される。第１切り目６１（第１差入れ口５１２）の両側に第１保持部５１が形成されることにより、正規開封時に、右手及び左手のいずれの指Ａ，Ｂ（図１の二点鎖線を参照）でも第１保持部５１に保持させることができる。
また、第１切り目６１の上下方向の形成位置は、図示例のように上下方向中央部でもよく、或いは、下方寄り又は上方寄りであってもよい。もっとも、第１切り目６１の上下方向の位置は、後述するように、開封時に、親指が当たるように、設定することが好ましい。具体的な寸法では、第１切り目６１の上下方向中央部が第１咬合部３１に対して下方に３０ｍｍ〜８０ｍｍ離れた位置となるように、第１切り目６１を形成することが好ましい。
【００２５】
＜第２保持部の具体例＞
第２保持部５２の詳細は、上記＜第１保持部の具体例＞の欄で説明したものと同様である。上記＜第１保持部の具体例＞の欄において、「第１壁面シート部２１」、「第１外側シート片２１１」、「第１内側シート片２１２」、「第１咬合部３１」、「第１下延出部４１２」、「第１保持部５１」、「第１筒袋部位５１１」、「第１切り目６１」、「第１差入れ口５１２」及び「第１舌部５３」を、それぞれ、「第２壁面シート部２２」、「第２外側シート片２２１」、「第２内側シート片２２２」、「第２咬合部３２」、「第２下延出部４２２」、「第２保持部５２」、「第２筒袋部位５２１」、「第２切り目６２」、「第２差入れ口５２２」及び「第２舌部５４」に読み替えることにより、第２保持部５２の具体例の説明をしたものとする。
なお、図示例では、第１差入れ口５１２を含む第１保持部５１と第２差入れ口５２２を含む第２保持部５２とは、表裏対称的に形成されているが、非対称であってもよい。
【００２６】
柔軟なシート材から形成された袋本体２の製袋方法は、従来公知な包装袋やパウチ袋などの製袋方法を適用できる。
本実施形態では、袋本体２は、第１外側シート片２１１及び第１内側シート片２１２からなる第１壁面シート部２１と、第２外側シート片２２１及び第２内側シート片２２２からなる第２壁面シート部２２と、から構成されている。
かかる袋本体２は、次のようにして製造できる。
第１切り目６１を形成した第１外側シート片２１１の内側に、前記第１切り目６１を覆うように第１内側シート片２１２を重ね合わせ、第１内側シート片２１２の幅方向に延びる上下端部を第１外側シート片２１１の内面に接着する。同様に、第２切り目６２を形成した第２外側シート片２２１の内側に、前記第２切り目６２を覆うように第２内側シート片２２２を重ね合わせ、第２内側シート片２２２の幅方向に延びる上下端部を第２外側シート片２２１の内面に接着する。内側シート片同士が重なる様に、第１外側シート片２１１と第２外側シート片２２１を重ね合わせ、それらの上端部を除く周端部（両側端部）を封止することにより、上方に開口部２９を有し且つ第１保持部５１及び第２保持部５２を有する袋本体２を形成できる。
【００２７】
図示例では、第１外側シート片２１１及び第２外側シート片２２１は、１枚のシート材から構成されている。例えば、１枚のシート材を下方において折り返して２重に重ね（この場合、２重のシート材のうちの一方が第１外側シート片２１１であり、他方が第２外側シート片２２１である）、その両側端部を互いに接着することにより、上記袋本体２が形成されている。
図１及び図２などの各正面図において、シート材が接着されている部分に、描写上、無数のドットを付加している。また、図３及び図４などの各端面図において、第１壁面シート部２１などを構成するシート材同士が接している箇所や、シート材とジッパー３が接している箇所は、それらが接着されている部分である。
【００２８】
なお、特に図示しないが、前記第１外側シート片２１１及び第２外側シート片２２１は、別々のシート材から構成されていてもよい。この場合、別々のシート材からなる第１外側シート片２１１及び第２外側シート片２２１を重ね合わせ、上端部を除く周端部（下端部及び両側端部）を互いに接着することにより、上記袋本体２が形成される。
第１壁面シート部２１、第２壁面シート部２２、第１保持部５１及び第２保持部５２などの各構成要素は、概念的なものであって、シート材を用いてそれらを具現化する手法は様々であり、図示例に限定されるわけではない。
【００２９】
第１外側シート片２１１、第１内側シート片２１２、第２外側シート片２２１及び第２内側シート片２２２の各部における接着方法は、特に限定されず、代表的には、熱溶着、或いは、接着剤を用いた接着が挙げられる。簡易にシート材を接着できることから、熱溶着が好ましい。
第１外側シート片２１１、第１内側シート片２１２、第２外側シート片２２１及び第２内側シート片２２２を構成するシート材としては、従来公知のものを用いることができる。シート材は、透明又は不透明の何れでもよい。シート材は、収納する物品の種類、コストなどに応じて適宜選定でき、例えば、１層の樹脂層又は２層以上の樹脂層を有する合成樹脂シート、紙、合成紙、発泡樹脂シート、不織布、これらから選ばれる２種以上の積層体、これらとバリア層の積層体などが挙げられる。第１外側シート片２１１、第１内側シート片２１２、第２外側シート片２２１及び第２内側シート片２２２は、同じシート材でもよく、或いは、異なるシート材でもよい。通常、第１外側シート片２１１及び第２外側シート片２２１は、同じシート材が用いられ、第１内側シート片２１２及び第２内側シート片２２２は、同じシート材が用いられる。
なお、第１壁面シート部２１及び第２壁面シート部２２を含む袋本体２には、必要に応じて、所望のデザインが印刷などによって表示される（このようなデザイン表示は図示せず）。
【００３０】
前記シート材は、好ましくは合成樹脂シートから構成される。前記合成樹脂シートには、耐衝撃性、耐磨耗性、及び耐熱性などの、袋としての基本的な性能を備えることが要求される。また、上述のように、袋本体２は、通常、シート材の熱溶着によって形成されるので、樹脂シートにはヒートシール性も要求される。樹脂シートとしては、ベースフィルム層と、ヒートシール性を付与するシーラント層とを有する複層シートが好適であり、高いガスバリア性や遮光性が要求される場合には、ベースフィルム層とシーラント層との間にバリア層を設けることが好適である。なお、ベースフィルム層そのものにバリア性を付与してもよい。この場合は、バリア層をベースフィルム層として用い、バリア層とシーラント層とを有する複層シートとなる。但し、ジッパー付き袋１の端面図である図３及び図４においては、便宜上、第１壁面シート部２１及び第２壁面シート部２２を１層構造で表している（以下、他のジッパー付き袋の端面図についても同様）。
【００３１】
ここで、ベースフィルム層、シーラント層、及びガスバリア層の構成材料を例示する。なお、これら各層の積層は、慣用のラミネート法、例えば、共押出しラミネーション、接着剤によるドライラミネーション、熱接着性層を挟んで熱により接着させる熱ラミネーション等により行うことができる。
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）等）、ポリオレフィン（ポリエチレン（ＰＥ）、ポリプロピレン（ＰＰ）等）、ポリアミド（ナイロン−６、ナイロン−６６等）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、ポリエーテルスルフォン（ＰＥＳ）等から構成される一層又は二層以上の延伸又は未延伸フィルムが例示できる。
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又は未延伸フィルムが例示できる。
ガスバリア層としては、アルミニウム等の金属薄膜、又は塩化ビニリデン（ＰＶＤＣ）、エチレン−ビニルアルコール共重合体（ＥＶＯＨ）等の樹脂シート、或いは任意の合成樹脂シート（例えば、ベースフィルム層であってもよい）に、アルミニウム、酸化アルミニウムやシリカ等の無機酸化物等を蒸着（又はスパッタリング）したフィルムが例示できる。
前記シート材には、商品名や原材料・使用上の注意事項などの商品説明、その他各種デザイン等を表示するための印刷層（図示せず）を設けることができる。例えば、印刷層は、グラビア印刷等の公知の方法により、ベースフィルム層の内側の面に形成できる。
【００３２】
本発明のジッパー付き袋１は、収納空間２８内に所望の物品を収納して使用される。なお、全ての図において、物品を図示せず。
例えば、ジッパー付き袋１は、流通過程の包装袋として使用できる（第１の使用法）。この場合、ジッパー付き袋１の収納空間２８内に物品が密封された状態（物品包装体の状態）で流通過程に供され、その物品包装体を販売対象として使用者に販売される。
また、ジッパー付き袋１は、保管袋として使用できる（第２の使用法）。この場合、物品を入れず、ジッパー付き袋１を販売対象として使用者に販売される。
【００３３】
第１の使用法においては、通常、物品包装体は、販売店などに陳列して販売される。かかる物品包装体に対して、例えば、悪意者が、図７に示すように、袋本体２の第１壁面シート部２１の上端部２１ａ及び第２壁面シート部２２の上端部２２ａを摘んでこれらを引張り、ジッパー３を開封しようとしても、その引張り力が、第１咬合部３１の基部３１１に加わらず、第１下延出部４１２に加わるので、第１咬合部３１と第２咬合部３２の咬合を解除させることは非常に困難である。従って、改竄による開封を防止できる。また、悪意のない者、例えば、幼児などが前記のように第１壁面シート部２１の上端部２１ａ及び第２壁面シート部２２の上端部２２ａを摘んでこれらを引張ったとしても、同様に開封できない。このように本発明のジッパー付き袋１は、予定外の開封を防止できる。
なお、図７を含む開封時の状況を示す端面図にあっては、袋本体２及びジッパー３にハッチングを付加せず、太い実線で表している。
【００３４】
一方、物品包装体の購入者などがジッパー付き袋１を正規開封する際には、次のような開封方法によってジッパー３を容易に開封できる。
例えば、本発明の開封方法は、第１壁面シート部２１及び第２壁面シート部２２を有する袋本体２と、第１壁面シート部２１の内面に取り付けられた第１咬合部３１と第２壁面シート部２２の内面に取り付けられた第２咬合部３２とを有するジッパー３と、を備え、前記第１咬合部３１及び第２咬合部３２の咬合によって袋本体２が閉塞されているジッパー付き袋１を開封する際に、第１壁面シート部２１の外面に設けられた第１保持部５１に親指以外の指を入れ且つ第２壁面シート部２２の外面に設けられた第２保持部５２にもう片方の親指以外の指を入れ、それらの指で第１外側シート片２１１及び第２外側シート片２２１をそれぞれ外側へ引張って第１壁面シート部２１と第２壁面シート部２２を離反させつつ、第１咬合部３１及び第２咬合部３２付近を親指にて外側から収納空間側に押し込む。
【００３５】
詳しくは、図８に示すように、第１舌部５３を外側に捲り、第１差入れ口５１２を開き、そこから片手の親指以外の指の少なくとも１本（例えば、右手の人差し指）を第１筒袋部位５１１に進入させる。同様に、第２舌部５４を外側に捲り、第２差入れ口５２２を開き、そこからもう一方の手の親指以外の指の少なくとも１本（例えば、左手の人差し指）を第２筒袋部位５２１に進入させる。
なお、第１舌部５３及び第２舌部５４は柔軟な自由部分であるので、人指し指などの親指以外の指を第１舌部５３の外面に当て、その第１舌部５３と共にその指を第１筒袋部位５１１内に進入させてもよい（この場合、第１舌部５３は、内側に反転して人指し指などと共に第１筒袋部位５１１内に入り込む）。第２舌部５４についても同様である。このように第１舌部５３及び第２舌部５４が形成されていると、それと共に指を第１筒袋部位５１１及び第２筒袋部位５２１に滑り込ませることができ、指を第１筒袋部位５１１及び第２筒袋部位５２１に入れやすくなる。
【００３６】
人指し指が第１筒袋部位５１１内に保持された状態で、図９及び図１０に示すように、第１咬合部３１の付近に対応する第１壁面シート部２１の外面に親指を当て、且つ、第２咬合部３２の付近に対応する第２壁面シート部２２の外面に親指を当てる。
そして、両手の親指同士を互いに押し合わせてそこを支点として、第１筒袋部位５１１に保持された片手（例えば右手）の人指し指と第２筒袋部位５２１に保持されたもう一方の手（例えば左手）の人差し指とを互いに離反させ、人指し指を外側に移動させると共に両親指を袋本体２の収納空間２８側へと押し込むようにする。
両人指し指を外側に離反させると、第１保持部５１の第１外側シート片２１１及び第２保持部５２の第２外側シート片２２１に繋がっている第１壁面シート部２１及び第２壁面シート部２２が引っ張られて離反する。第１咬合部３１及び第２咬合部３２よりも下方側において第１壁面シート部２１及び第２壁面シート部２２が引っ張られると共に、両親指の押し込みにより、咬合された第１咬合部３１と第２咬合部３２を互いに離反させる引張力が、収納空間２８側からジッパー３に加わり、その結果、第１咬合部３１と第２咬合部３２の咬合が解除される（図１１及び図１２参照）。
【００３７】
このように本発明の開封方法によれば、ジッパー付き袋１を容易に開封できる。
特に、第１保持部５１及び第２保持部５２によって指が保持されるので、正規開封時に指が袋本体２から外れることがなく、確実且つ容易にジッパー付き袋１を開封できる。かかるジッパー付き袋１は、高齢者や子供などでも、確実且つ容易に正規開封できるものである。
また、本発明のジッパー付き袋１によれば、開封後にジッパー３を再封することもでき、物品の包装袋として繰り返し使用できる。
なお、前記開封方法による開封原理は、典型的なケースを説明したものであり、例えば、手先の器用な人の場合には、上記のような両手の使い方をせずに、第１保持部５１及び第２保持部５２を利用してジッパー３を開封させることもできる場合があることに留意されたい。
【００３８】
第２の使用法においては、使用者が収納空間２８内に物品を出し入れして使用する物品の保管袋として使用できる。
例えば、家庭などで使用する際に、乾電池などの日用品を本発明のジッパー付き袋１の開口部２９から収納空間２８内に入れ、ジッパー３を閉塞しておく。このジッパー付き袋１を幼児や高齢者などが不用意に開封する行為を行っても、上述の図７に示すように、ジッパー３を開封できない。一方、正規開封する際には、上述のような手順により、確実且つ容易に開封できる。かかるジッパー付き袋１を用いることにより、幼児の誤飲などを防止できる。また、本発明のジッパー付き袋１は、病院などで薬の保管袋として利用することもできる。
なお、前記第１の使用法の物品包装体から物品を取り出した後に、残ったジッパー付き袋１を、前記第２の使用法で使用することもできる。
【００３９】
以下、本発明の第２実施形態を説明するが、その説明に於いては、主として上記実施形態と異なる構成及び効果について説明し、同様の構成などについては、用語又は符号をそのまま援用し、その構成の説明を省略する場合がある（第３実施形態以降も同様である）。
【００４０】
［第２実施形態］
上記第１実施形態では、第１差入れ口５１２は第１外側シート片２１１の面内に形成された第１切り目６１による開放部分からなるが、例えば、図１３及び図１４に示すように、第１外側シート片２１１の面内に孔部を形成することにより、その孔部を第１差入れ口５１２としてもよい。第２差入れ口５２２についても、同様に、第２外側シート片２２１の面内に形成された孔部から構成されていてもよい。
【００４１】
［第３実施形態］
上記第１実施形態では、第１外側シート片２１１及び第２外側シート片２２１よりも小面積の第１内側シート片２１２及び第２内側シート片２２２を用いたが、これとは反対に、図１５及び図１６に示すように、第１外側シート片２１１及び第２外側シート片２２１が第１内側シート片２１２及び第２内側シート片２２２よりも小面積であってもよい。例えば、幅方向を長手とする正面視略長方形状に形成されている。詳しくは、第１外側シート片２１１及び第２外側シート片２２１は、第１内側シート片２１２及び第２内側シート片２２２の幅方向長さと同じで且つ第１内側シート片２１２及び第２内側シート片２２２の上下方向長さよりも十分に小さい。第１内側シート片２１２及び第２内側シート片２２２は、第１壁面シート部２１及び第２壁面シート部２２の正面視形状を成している。また、図示例では、第１内側シート片２１２及び第２内側シート片２２２を別々のシート材から構成し、下端部及び両側端部を互いに接着した袋本体２を例示している。
なお、第１外側シート片２１１の幅方向長さは、第１内側シート片２１２の幅方向長さよりも小さくてもよい。
本実施形態でも、第１外側シート片２１１及び第２外側シート片２２１に第１差入れ口５１２及び第２差入れ口５２２を形成することにより、第１保持部５１及び第２保持部５２を構成できる。
【００４２】
なお、本実施形態において、第１外側シート片２１１及び第２外側シート片２２１の周端部が第１内側シート片２１２及び第２内側シート片２２２の外面に接着されているが、第１外側シート片２１１及び第２外側シート片２２１の上下端部のみを第１内側シート片２１２及び第２内側シート片２２２に接着してもよい。この場合、第１外側シート片２１１及び第２外側シート片２２１の幅方向両側方において、第１外側シート片２１１と第１内側シート片２１２及び第２外側シート片２２１と第２内側シート片２２２がそれぞれ非接着となるので、各非接着部分を、幅方向側方において第１筒袋部位５１１及び第２筒袋部位５２１の空間に連通した第１差入れ口５１２及び第２差入れ口５２２として利用してもよい。この場合であっても、第１切り目６１及び第２切り目６２などを形成することによって第１外側シート片２１１及び第２外側シート片２２１の面内に第１差入れ口５１２及び第２差入れ口５２２を形成してもよい。
【００４３】
［第４実施形態］
上記各実施形態のジッパー付き袋１は、袋本体２の開口部２９が予め開口されているが、本発明のジッパー付き袋１は、袋本体２の開口部２９が予め開口されているものに限定されない。本発明のジッパー付き袋１は、例えば、開口部２９の一部又は全部が予め閉塞され、使用時に開口部２９を開口させる形式であってもよい。
例えば、図１７及び図１８に示すように、第１壁面シート部２１の上端部２１ａと第２壁面シート部２２の上端部２２ａが幅方向全体に亘って接着されているジッパー付き袋１でもよい。なお、特に図示しないが、第１壁面シート部２１の上端部２１ａと第２壁面シート部２２の上端部２２ａが幅方向の一部分で接着されていてもよい。上記第１実施形態などでは、袋本体２の上端に開口部２９が開口されているが、本実施形態では、袋本体２の上端部が閉塞されている。必要に応じて、袋本体２の両側部のうち前記接着された上端部とジッパー３の間の領域に、切込み（図１７参照）やミシン目線などの切断補助手段を設けてもよい。
かかるジッパー付き袋１は、使用時に、前記接着された上端部とジッパー３の間の領域において幅方向に切断することにより、図１及び図２に示すようなジッパー付き袋１となり、事後、上記第１実施形態と同様にしてジッパー３を開封できる。
【００４４】
本実施形態のように、予め開口部２９が閉塞されているジッパー付き袋１は、袋本体２などを切断しなければ、ジッパー３の設けられた開口部２９が開口しないので、不用意な開封を確実に防止できる。
このようなジッパー付き袋１は、収納空間２８内に物品を入れた状態で販売される物品包装体の形態（第１の使用法）に適用することが好適である。つまり、販売時には物品包装体の不用意な開封を確実に防止でき、購入者が物品を取り出した後に残るジッパー付き袋１を保管袋として利用できる。
なお、本実施形態のような開口部２９が予め閉塞されているジッパー付き袋１を用いた物品包装体は、ジッパー付き袋１の収納空間２８に物品を入れた後、ジッパー３を閉じ、さらに、端部を熱溶着などの手段で接着することによって得られる。
【００４５】
［その他］
また、上記各実施形態において、袋本体２は、対向配置された第１壁面シート部２１及び第２壁面シート部２２のみからなるが、必要に応じて、第１壁面シート部２１及び第２壁面シート部２２と、その下方に介在された底面シート部と、からなる底面ガゼット付きの袋本体２でもよい（図示せず）。また、特に図示しないが、第１壁面シート部２１及び第２壁面シート部２２の一方又は両方の側部に側面シート部が介在されている側面ガゼット付きの袋本体２でもよく、第１壁面シート部２１及び第２壁面シート部２２の上方に上面シート部が介在されている上面ガゼット付きの袋本体２でもよい。本発明において、袋本体２の構成は、従来公知の様々な包装袋やパウチ袋などの構成を採用できる。
さらに、上記各実施形態で示したジッパー３に代えて、例えば、特許文献１に開示された様々な形態のジッパー３を適用してもよい。
その他、上記各実施形態から選ばれる２つ以上の構成を適宜組み合わせてもよく、或いは、上記各実施形態から選ばれる１つ又は２つ以上の構成を、それ以外の実施形態に置換してもよい。
【符号の説明】
【００４６】
１  ジッパー付き袋
２  袋本体
２１  第１壁面シート部
２２  第２壁面シート部
２８  袋本体の収納空間
２９  袋本体の開口部
３  ジッパー
３１  第１咬合部
３２  第２咬合部
４１２  第１下延出部（取付け部）
５１  第１保持部
５２  第２保持部
【図１】
2020040675.tif 000003
【図２】
2020040675.tif 000004
【図３】
2020040675.tif 000005
【図４】
2020040675.tif 000006
【図５】
2020040675.tif 000007
【図６】
2020040675.tif 000008
【図７】
2020040675.tif 000009
【図８】
2020040675.tif 000010
【図９】
2020040675.tif 000011
【図１０】
2020040675.tif 000012
【図１１】
2020040675.tif 000013
【図１２】
2020040675.tif 000014
【図１３】
2020040675.tif 000015
【図１４】
2020040675.tif 000016
【図１５】
2020040675.tif 000017
【図１６】
2020040675.tif 000018
【図１７】
2020040675.tif 000019
【図１８】
2020040675.tif 000020